(57)【要約】【課題】灯具本体と電源部との間の距離を調整することができる照明装置を提供する。【解決手段】照明装置１は、通電可能なダクトレール１００に着脱自在に取り付けられる。照明装置１は、灯具本体４３と、アーム部４２と、アタッチメント４１と、プラグ２１と、筐体２２と、電源回路と、ケーブル３とを備える。灯具本体４３は、光源を有する。アーム部４２は、灯具本体４３を支持する。アタッチメント４１は、ダクトレール１００に着脱自在に取り付けられる。アタッチメント４１は、アーム部４２に接続する。プラグ２１は、ダクトレール１００に着脱自在に取り付けられる。筐体２２は、プラグ２１に接続する。電源回路は、筐体２２の内部に配置される。電源回路には、ダクトレール１００からプラグ２１を介して電圧が供給される。ケーブル３は、灯具本体４３と電源回路とを電気的に接続する。【選択図】図１
2017168409.tif 000002
【特許請求の範囲】
【請求項１】
通電可能なダクトレールに着脱自在に取り付けられる照明装置であって、
光源を有する灯具本体と、
前記灯具本体を支持するアーム部と、
前記ダクトレールに着脱自在に取り付けられて、前記アーム部に接続するアタッチメントと、
前記ダクトレールに着脱自在に取り付けられるプラグと、
前記プラグに接続する筐体と、
前記筐体の内部に配置されて、前記ダクトレールから前記プラグを介して電圧が供給される電源回路と、
前記灯具本体と前記電源回路とを電気的に接続するケーブルと
を備える、照明装置。
【請求項２】
前記ケーブルを収容するケーブル収容部を更に備え、
前記ケーブル収容部は、前記筐体の内部に設けられる、請求項１に記載の照明装置。
【請求項３】
前記筐体は、前記筐体の外部と前記ケーブル収容部とを連通させる開口を有する、請求項２に記載の照明装置。
【請求項４】
前記筐体の内部に分離部材を更に備え、
前記分離部材は、前記筐体の内部の空間を第１空間と第２空間とに分離し、
前記第１空間は、前記ケーブル収容部を形成し、
前記電源回路は、前記第２空間に収容される、請求項２又は請求項３に記載の照明装置。
【請求項５】
前記プラグは、前記筐体と旋回自在に接続する、請求項１〜請求項４のいずれか１項に記載の照明装置。
【発明の詳細な説明】
【技術分野】
【０００１】
本発明は、照明装置に関する。
【背景技術】
【０００２】
特許文献１には、ダクトレールに取り付けられる照明装置が開示されている。特許文献１に開示の照明装置は、灯具本体（スポットライト部）とアーム部と電源部とを備える。灯具本体は、アーム部に支持される。アーム部は、電源部に接続する。電源部は、筐体と、筐体内に設けられた電源回路と、複数の取付部とを備える。筐体は、略直方体形状である。複数の取付部は、筐体の長手方向に沿って筐体の上面に配置される。複数の取付部は、ダクトレールに取り付けられる。
【先行技術文献】
【特許文献】
【０００３】
【特許文献１】特開２０１５−１８７２３号公報
【発明の概要】
【発明が解決しようとする課題】
【０００４】
しかしながら、特許文献１に開示の照明装置では、灯具本体と電源部とは一体である。したがって、灯具本体と電源部との間の距離を調整することができない。
【０００５】
本発明は上記課題に鑑み、灯具本体と電源部との間の距離を調整することができる照明装置を提供することを目的とする。
【課題を解決するための手段】
【０００６】
本願に開示する照明装置は、通電可能なダクトレールに着脱自在に取り付けられる。当該照明装置は、灯具本体と、アーム部と、アタッチメントと、プラグと、筐体と、電源回路と、ケーブルとを備える。前記灯具本体は、光源を有する。前記アーム部は、前記灯具本体を支持する。前記アタッチメントは、前記ダクトレールに着脱自在に取り付けられる。前記アタッチメントは、前記アーム部に接続する。前記プラグは、前記ダクトレールに着脱自在に取り付けられる。前記筐体は、前記プラグに接続する。前記電源回路は、前記筐体の内部に配置される。前記電源回路には、前記ダクトレールから前記プラグを介して電圧が供給される。前記ケーブルは、前記灯具本体と前記電源回路とを電気的に接続する。
【０００７】
本願に開示する照明装置は、前記ケーブルを収容するケーブル収容部を更に備えてもよい。前記ケーブル収容部は、前記筐体の内部に設けられてもよい。
【０００８】
本願に開示する照明装置において、前記筐体は、前記筐体の外部と前記ケーブル収容部とを連通させる開口を有してもよい。
【０００９】
本願に開示する照明装置は、前記筐体の内部に分離部材を更に備えてもよい。前記分離部材は、前記筐体の内部の空間を第１空間と第２空間とに分離してもよい。前記第１空間は、前記ケーブル収容部を形成してもよい。前記電源回路は、前記第２空間に収容されてもよい。
【００１０】
本願に開示する照明装置において、前記プラグは、前記筐体と旋回自在に接続してもよい。
【発明の効果】
【００１１】
本発明の照明装置によれば、灯具本体と電源部との間の距離を調整することができる。
【図面の簡単な説明】
【００１２】
【図１】実施形態に係る照明装置の構成を示す斜視図である。
【図２】実施形態に係る電源部の構成を示す斜視図である。
【図３】（ａ）は、本実施形態に係るコネクター部の第１の姿勢を示す図であり、（ｂ）は、本実施形態に係るコネクター部の第２の姿勢を示す図である。
【図４】実施形態に係る電源部の構成を示す背面図である。
【図５】実施形態に係る電源部の筐体の内部の構成を示す図である。
【図６】実施形態に係る灯具の構成を示す側面図である。
【図７】実施形態に係るアタッチメントの構成を示す拡大斜視図である。
【図８】図１に示す照明装置がダクトレールに取り付けられた状態の一例を示す図である。
【発明を実施するための形態】
【００１３】
以下、図面を参照して本発明の実施形態を説明する。ただし、図中、同一又は相当部分については同一の参照符号を付して説明を繰り返さない。
【００１４】
まず、図１を参照して、照明装置１の構成について説明する。図１は、照明装置１の構成を示す斜視図である。
【００１５】
図１に示すように、照明装置１は、通電可能なダクトレール１００に取り付けられる。以下、ダクトレール１００に照明装置１が取り付けられた状態において、ダクトレール１００側を照明装置１の上側とし、ダクトレール１００とは反対側を照明装置１の下側とする。
【００１６】
ダクトレール１００は、レール本体１０１、２つの導体部１０３、及び２つのレール溝１０４を有する。
【００１７】
レール本体１０１は、上下方向と直交する方向に直線状に延設される。レール本体１０１は、レール本体１０１の長手方向に沿って延在するスリット１０２を有する。スリット１０２は、レール本体１０１の下面に形成されている。スリット１０２は、レール本体１０１の内部と連通する。
【００１８】
２つの導体部１０３には、外部電源から交流電圧が供給される。２つの導体部１０３は、レール本体１０１の内側に配置される。２つの導体部１０３は、レール本体１０１の長手方向に沿って延在する。２つの導体部１０３は、スリット１０２を挟んで対向する。
【００１９】
２つのレール溝１０４は、レール本体１０１の内側に形成される。２つのレール溝１０４は、レール本体１０１の長手方向に沿って延在する。２つのレール溝１０４は、スリット１０２を挟んで対向する。２つのレール溝１０４は、２つの導体部１０３の下方にそれぞれ位置する。
【００２０】
照明装置１は、電源部２、ケーブル３、及び灯具４を備える。
【００２１】
電源部２は、プラグ２１及び筐体２２を備える。本実施形態において、筐体２２の材料として、例えば、金属が使用される。
【００２２】
プラグ２１は、ダクトレール１００に着脱自在に取り付けられる。プラグ２１は、ダクトレール１００に電気的及び機械的に接続する。
【００２３】
筐体２２は、図１の矢印Ｒ１に示す方向に旋回自在にプラグ２１と接続する。すなわち、プラグ２１と筐体２２とはレール本体１０１の下面と直交する軸を軸心Ｐ１として互いに旋回自在である。
【００２４】
筐体２２は、略直方体形状である。筐体２２は、筐体２２の長手方向に平行な第１側面２２ａを有する。第１側面２２ａの上端部には、第１開口２３１が形成されている。第１開口２３１は、筐体２２の内部と連通する。第１開口２３１には、ケーブル３が挿通される。本実施形態において、第１開口２３１は、第１側面２２ａの一端から他端まで連続して形成されている。
【００２５】
ケーブル３は、電源部２と灯具４とを電気的に接続する。
【００２６】
灯具４は、アタッチメント４１、アーム部４２、及び灯具本体４３を有する。
【００２７】
アタッチメント４１は、ダクトレール１００に着脱自在に取り付けられる。本実施形態において、アタッチメント４１は、ダクトレール１００に機械的に接続する。
【００２８】
アタッチメント４１は、図１の矢印Ｒ２に示す方向に旋回自在にアーム部４２を支持する。すなわち、アーム部４２は、レール本体１０１の下面と直交する軸を軸心Ｐ２として旋回する。アタッチメント４１は、アタッチメント本体４１１、及び支持部４１ａを有する。支持部４１ａは、アタッチメント４１の下面に配置される。支持部４１ａは、アタッチメント４１の下面から下方に突出する。
【００２９】
アーム部４２は、ベース部４２１及び２つのアーム４２２を含む。ベース部４２１は、アタッチメント４１の支持部４１ａによって旋回自在に支持される。
【００３０】
２つのアーム４２２は、ベース部４２１から下方に向けて延在する。各アーム４２２の先端部４２２ａは、灯具本体４３を挟んで対向する。各アーム４２２の先端部４２２ａは、灯具本体４３を、図１の矢印Ｒ３に示す方向に沿って回動自在に支持する。詳しくは、灯具本体４３は、各アーム４２２の先端部４２２ａを結ぶ直線を軸心として回動する。
【００３１】
灯具本体４３は、内部に光源を備える。光源は、例えば、ＬＥＤ（Ｌｉｇｈｔ  Ｅｍｉｔｔｉｎｇ  Ｄｉｏｄｅ）が基板に実装されたＬＥＤモジュールである。光源は、ケーブル３を介して直流電圧が供給されることによって、光Ｌを出射する。光Ｌは、光源から出射される光のうち、例えばビーム角の中心の光である。以下、光Ｌが出射される方向を「出射方向」と記載する場合がある。出射方向は、アーム部４２を矢印Ｒ２に示す方向に沿って旋回させることによって調整可能である。また、出射方向は、灯具本体４３を矢印Ｒ３に示す方向に沿って回動させることによって調整可能である。灯具本体４３は、光Ｌの出射方向とは反対側においてケーブル３と接続する。
【００３２】
次に図２〜図５を参照して電源部２の構成について説明する。図２は、電源部２の構成を示す斜視図である。詳しくは、図２は、図１に示す筐体２２の灯具４側の端部を図１及び図２に示す矢印Ｒ１に示す方向に９０度手前に旋回させた電源部２を示す。
【００３３】
図２に示すように、プラグ２１は、プラグ本体２１１、突起部２１２、ガイド部２１３、コネクター部２１４、及びレバー２１８を有する。
【００３４】
プラグ本体２１１は、略円筒形状である。プラグ本体２１１の外周面の上部には、突起部２１２が設けられる。
【００３５】
突起部２１２は、プラグ本体２１１の径方向の外方へ向けて突出する。図２では、突起部２１２が突出する方向を電源部２の前側として記載し、前側とは反対側を電源部２の後ろ側として記載する。突起部２１２の前側の縁を上面視したときの外形は、略半円状である。
【００３６】
ガイド部２１３は、プラグ本体２１１の上面に設けられる。ガイド部２１３は、略直方体形状である。ガイド部２１３は、その長手方向が図１を参照して説明したスリット１０２の長手方向と一致する姿勢でスリット１０２に挿入される。
【００３７】
コネクター部２１４は、突起部２１２の上面に設けられる。コネクター部２１４は、突起部２１２の上面と直交する軸を軸心Ｐ４として図２の矢印Ｒ４に示す方向に回動自在である。コネクター部２１４は、コネクター本体２１５、２つの端子２１６（２つの電極）、及び２つのコネクター支持部２１７を有する。
【００３８】
コネクター本体２１５は、突起部２１２の上面と接続する。コネクター本体２１５は、略円筒形状である。
【００３９】
コネクター本体２１５の外周面の上部には、２つの端子２１６が軸心Ｐ４を挟んで対向するように設けられる。２つの端子２１６は、コネクター本体２１５の径方向の外方に向けてそれぞれ突出する。
【００４０】
コネクター本体２１５の外周面の下部には、２つのコネクター支持部２１７が軸心Ｐ４を挟んで対向するように設けられる。２つのコネクター支持部２１７は、２つの端子２１６がそれぞれ突出する方向と同一方向にそれぞれ突出する。各コネクター支持部２１７は、同一方向に突出する端子２１６よりも外方に突出する。
【００４１】
レバー２１８は、突起部２１２の外周面に設けられる。レバー２１８は、突起部２１２の外周面に沿ってスライド自在である。レバー２１８がスライドすることによって、コネクター部２１４は、軸心Ｐ４を中心として回動する。本実施形態において、レバー２１８は、第１の位置Ｓ１と第２の位置Ｓ２との間でスライド自在である。
【００４２】
続いて、図１、図３（ａ）及び図３（ｂ）を参照して、プラグ２１のダクトレール１００への取付方法について説明する。
【００４３】
図３（ａ）は、コネクター部２１４の第１の姿勢を示す図である。詳しくは、図３（ａ）は、レバー２１８の位置が第１の位置Ｓ１である場合における電源部２を上方から見た図である。図３（ａ）において、２つの端子２１６及び２つのコネクター支持部２１７の突出方向は、ガイド部２１３の短手方向と一致する。図３（ｂ）は、コネクター部２１４の第２の姿勢を示す図である。詳しくは、レバー２１８の位置が第２の位置Ｓ２である場合における電源部２を上方から見た図である。図３（ｂ）において、２つの端子２１６及び２つのコネクター支持部２１７の突出方向は、ガイド部２１３の長手方向と一致する。すなわち、第２の姿勢は、コネクター部２１４を第１の姿勢から軸心Ｐ４を軸として９０度回転した姿勢である。レバー２１８が図３（ａ）に示す第１の位置Ｓ１から図３（ｂ）に示す第２の位置Ｓ２へスライドすると、コネクター部２１４は、図３（ａ）に示す第１の姿勢から図３（ｂ）に示す第２の姿勢に変化する。
【００４４】
図１に示すダクトレール１００にプラグ２１を取り付ける場合、まず、図３（ｂ）に示すように、レバー２１８を第２の位置Ｓ２に移動させてコネクター部２１４を第２の姿勢にする。これにより、２つの端子２１６及び２つのコネクター支持部２１７の突出方向がガイド部２１３の長手方向と一致する。次いで、２つの端子２１６の突出方向、２つのコネクター支持部２１７の突出方向、及びガイド部２１３の長手方向をスリット１０２の長手方向に一致させた姿勢でコネクター部２１４をスリット１０２に挿入する。次いで、レバー２１８を第２の位置Ｓ２から図３（ａ）に示すように第１の位置Ｓ１までスライドさせる。これにより、コネクター部２１４が第１の姿勢となる。この結果、２つのコネクター支持部２１７が２つのレール溝１０４にそれぞれ嵌合するとともに、２つの端子２１６が２つの導体部１０３にそれぞれ接触する。２つのコネクター支持部２１７が２つのレール溝１０４にそれぞれ嵌合することによって、プラグ２１がダクトレール１００と機械的に接続する。また、２つの端子２１６が２つの導体部１０３にそれぞれ接触することによって、プラグ２１がダクトレール１００と電気的に接続する。この結果、電源部２に外部からの交流電圧が供給される。
【００４５】
次に、図４を参照して、電源部２の筐体２２の構成について詳細に説明する。図４は、電源部２の構成を示す背面図である。
【００４６】
図４に示すように、筐体２２は第２側面２２ｂを有する。第２側面２２ｂは、図２を参照して説明した第１側面２２ａと対向する。第２側面２２ｂの上端部には、第２開口２３２が形成されている。第２開口２３２は、筐体２２の内部と連通する。第２開口２３２は、第１開口２３１と同様に、第２側面２２ｂの一端から他端まで連続して形成されている。なお、第２開口２３２にケーブル３が挿通されてもよい。
【００４７】
続いて、図５を参照して、電源部２の筐体２２の内部の構成について説明する。図５は、電源部２の筐体２２の内部の構成を示す図である。詳しくは、図５は、図２に示す筐体２２の内部を正面側から見た図である。
【００４８】
図５に示すように、電源部２は、分離部材２４及び電源回路２５を更に備える。分離部材２４及び電源回路２５は、筐体２２の内部に配置される。
【００４９】
分離部材２４は、筐体２２の内部空間２２０を分離する。詳しくは、分離部材２４は、内部空間２２０を第１空間２２１と第２空間２２２とに分離する。第１空間２２１は、第２空間２２２よりも上方に位置する。本実施形態において、分離部材２４の材料として、例えば、金属が使用される。
【００５０】
第１空間２２１には、ケーブル３が収容される。本実施形態において、第１空間２２１は、ケーブル収容部を形成する。第１空間２２１は、第２開口２３２と連通する。また、第１空間２２１は、図１を参照して説明した第１開口２３１と連通する。第１空間２２１には、第１開口２３１を介してケーブル３を出し入れすることができる。例えば、電源部２と灯具４との間の距離がケーブル３の全長よりも短い場合、ケーブル３が電源部２と灯具４との間で垂れ下がる。第１空間２２１には、ケーブル３の垂れ下がった部分（余剰部分）を収容することができる。
【００５１】
第２空間２２２には、電源回路２５が収容される。電源回路２５は、コネクター部２１４の２つの端子２１６と電気的に接続する。２つの端子２１６がダクトレール１００の２つの導体部１０３にそれぞれ接触すると、電源回路２５に交流電圧が供給される。電源回路２５は、交流電圧に基づいて直流電圧を生成する。
【００５２】
また、電源回路２５は、ケーブル３と接続する。電源回路２５は、生成した直流電圧を、灯具４へケーブル３を介して供給する。
【００５３】
次に、図６及び図７を参照して灯具４の構成について説明する。図６は、灯具４の構成を示す側面図である。図７は、アタッチメント４１の構成を示す拡大斜視図である。詳しくは、図７は、アタッチメント４１を斜め上から見た図である。
【００５４】
図６に示すように、灯具本体４３は、アーム部４２の先端部４２２ａを支点として回動自在である。
【００５５】
本実施形態において、２つのアーム４２２は、軸心Ｐ２に対して例えば４５度傾斜している。これにより、灯具本体４３を図１の矢印Ｒ３に示す方向に沿って回動させる際に、灯具本体４３がアタッチメント４１に接触することを回避できる。
【００５６】
また、図６に示すように、アタッチメント４１は、アタッチメント本体４１１に加えてアタッチメント支持部４１２を更に有する。アタッチメント本体４１１は、略円筒状である。アタッチメント支持部４１２は、アタッチメント本体４１１の上面に設けられる。
【００５７】
図７に示すように、アタッチメント支持部４１２は、ツバ部４１３を有する。ツバ部４１３は、略長方形である。ツバ部４１３は、２つの嵌合部４１３ａを有する。２つの嵌合部４１３ａは、図１を参照して説明したレール溝１０４にそれぞれ嵌合する。
【００５８】
続いて、図１及び図７を参照して、アタッチメント４１のダクトレール１００への取付方法について説明する。
【００５９】
図１に示すダクトレール１００にアタッチメント４１を取り付ける場合、まず、ツバ部４１３の長手方向とスリット１０２の長手方向とが一致する姿勢でアタッチメント４１をスリット１０２に挿入させる。次いで、スリット１０２に挿入されたアタッチメント４１をダクトレール１００に対して９０度回転させる。これにより、２つの嵌合部４１３ａが２つのレール溝１０４に嵌合する。この結果、アタッチメント４１がダクトレール１００に機械的に接続する。
【００６０】
以上、本発明の実施形態について図面を参照しながら説明した。本実施形態によれば、電源部２と灯具４とをケーブル３が電気的に接続する。このため、電源部２と灯具４との間の距離を調整することができる。したがって、灯具４の配置の自由度を向上させることができる。また、電源部２と灯具４とを離れた位置に配置することができる。これにより、電源部２と灯具４（灯具本体４３）との間の熱干渉の発生（電源部２の熱が灯具４へ伝わること、及び灯具４の熱が電源部２へ伝わること）を低減することができる。
【００６１】
また、本実施形態によれば、電源部２を灯具４から離れた位置に配置することができる。このため、例えば、図８に示すように、３台の灯具４をダクトレール１００に配置する場合、３台の灯具４を近接して配置することができる。なお、近接して配置できる灯具４の数は、３台に限定されない。例えば、２台又は４台以上の灯具４が近接して配置され得る。したがって、灯具４の配置の自由度を向上させることができる。
【００６２】
また、本実施形態によれば、筐体２２は、プラグ２１に旋回自在に接続する。したがって、筐体２２は、ダクトレール１００に対する姿勢を自由に変更することができる。すなわち、筐体２２は、筐体２２の長手方向の向きをダクトレール１００の長手方向に直交させる姿勢でダクトレール１００に取り付けられる。この結果、電源部２がダクトレール１００を占有する占有面積が小さくなる。したがって、ダクトレール１００への灯具４の配置の自由度を向上させることができる。なお、占有面積は、平面視したときに、ダクトレール１００と筐体２２とが重なる領域の面積を示す。また、ダクトレール１００における電源部２の占有面積が小さくなることによって、ダクトレール１００に配置できる灯具４の数を増やすことができる。
【００６３】
また、電源部２が配置される位置と灯具４が配置される位置との間の距離がケーブル３の全長よりも短い場合、ケーブル３は、電源部２と灯具４との間において垂れ下がる可能性がある。この場合、垂れ下がったケーブル３によって、灯具４から出射される光Ｌが遮られる虞がある。すなわち、ケーブル３が垂れ下がることに起因して影が発生する虞がある。しかしながら、本実施形態によれば、第１開口２３１を介して、ケーブル３の余剰部分を筐体２２に収容することができる。これにより、ケーブル３の余剰部分の長さを調整することができる。したがって、影の発生を抑制することができる。
【００６４】
また、本実施形態によれば、筐体２２の内部空間２２０が分離部材２４によって第１空間２２１と第２空間２２２とに分離されている。第１空間２２１には、ケーブル３が収容される。第２空間２２２には、電源回路２５が収容される。したがって、電源回路２５がケーブル３に接触することに起因して、熱がケーブル３に伝わることを抑制することができる。
【００６５】
また、本実施形態では、筐体２２及び分離部材２４の材料として金属が使用される。一般的に、樹脂などと比べ金属の比熱は小さい。したがって、筐体２２及び分離部材２４の放熱性が高まる。この結果、筐体２２及び分離部材２４は、電源回路２５からの熱を放熱しやすくなる。
【００６６】
また、一般的に暖かい空気は上昇する。本実施形態によれば、第１開口２３１は、筐体２２が有する第１側面２２ａの上端部（アタッチメント４１側）に形成されている。第２開口２３２は、筐体２２が有する第２側面２２ｂの上端部に形成されている。したがって、電源回路２５からの熱によって暖められた空気が第１開口２３１及び第２開口２３２を介して筐体２２の外部に排出されやすくなる。
【００６７】
また、本実施形態によれば、第１開口２３１及び第２開口２３２は、対向する第１側面２２ａ及び第２側面２２ｂにそれぞれ設けられている。このため、筐体２２の内部において対流が発生しやすくなる。この結果、電源回路２５からの熱によって暖められた空気を効率良く筐体２２の外部に排出することができる。
【００６８】
なお、本発明は、上記の実施形態に限られるものではなく、その要旨を逸脱しない範囲で種々の態様において実施することが可能である。
【００６９】
例えば、本発明の実施形態において、２つのアーム４２２が灯具本体４３を支持する構成について説明したが、本発明はこれに限定されない。例えば、灯具本体４３は、１つ又は３つ以上のアームによって支持され得る。
【００７０】
また、本発明の実施形態において、筐体２２に２つの開口（第１開口２３１及び第２開口２３２）が形成される場合を例に説明したが、筐体２２に形成される開口の数は２つに限定されない。例えば、筐体２２に形成される開口は、１つ又は３つ以上であってもよい。
【００７１】
また、本発明の実施形態では、第１側面２２ａの一端から他端にわたって開口（第１開口２３１）が連続して形成される構成について説明したが、本発明は、これに限定されない。例えば、第１側面２２ａの一端から他端まで複数の開口が断続的に形成されてもよい。また、これと同様に、第２側面２２ｂの一端から他端まで複数の開口が断続的に形成されてもよい。
【００７２】
また、本発明の実施形態において、第１開口２３１及び第２開口２３２は、筐体２２の長手方向に平行な側面（第１側面２２ａ及び第２側面２２ｂ）に形成されたが、第１開口２３１及び第２開口２３２が形成される側面は筐体２２の長手方向に平行な側面に限定されない。例えば、第１開口２３１及び第２開口２３２は、筐体２２の短手方向に平行な側面に形成されてもよい。
【００７３】
また、本発明の実施形態において、筐体２２の側面に開口が形成される構成を例に説明したが、本発明は、これに限定されない。例えば、筐体２２の上面又は底面に開口が形成されてもよい。
【００７４】
また、本発明の実施形態において、第１開口２３１の長手方向の長さ及び短手方向の長さは、ケーブル３が挿通可能な長さであればよい。なお、第１開口２３１の長手方向の長さ及び短手方向の長さは、ケーブル３の外径よりも大きいほうがより好ましい。これにより、ケーブル３をよりスムーズに第１開口２３１を介して第１空間２２１に出し入れすることができる。また、第１開口２３１の長手方向の長さ及び短手方向の長さがケーブル３の外径よりも大きいことにより、ケーブル３が第１開口２３１の縁に接触して擦れることを抑制することができる。この結果、ケーブル３の導体を覆う被覆材の損傷を抑制することができる。
【００７５】
また、本発明の実施形態において、第１空間２２１と第２空間２２２とが上下方向に並ぶ構成を例に説明したが、本発明は、これに限定されない。例えば、第１空間２２１と第２空間２２２とは、上下方向に直交する方向に並ぶ構成であってもよい。この場合、筐体２２は、第１空間２２１と連通する開口を有していてもよい。
【００７６】
また、本発明の実施形態において、第１空間２２１が第２空間２２２よりも上方に位置する場合を例に説明したが、本発明はこれに限定されない。例えば、第１空間２２１は、第２空間２２２よりも下方に位置してもよい。これにより、電源回路２５とプラグ２１とを接続するケーブルの全長を短くすることができる。この結果、照明装置１の製品コストを削減することができる。
【００７７】
また、本発明の実施形態において、筐体２２は、１つの分離部材２４を備えたが、本発明はこれに限定されない、筐体２２は、２つ以上の分離部材２４を備えてもよい。
【００７８】
また、本発明の実施形態では、１つの灯具４と１つの電源部２とが接続する構成を例に説明したが、本発明は、これに限定されない。例えば、１つの電源部２に対して２つ以上の灯具４が接続されてもよい。具体的には、２つ以上の灯具本体４３が並列に電源回路２５に接続されてもよいし、２つ以上の灯具本体４３が直列に電源回路２５に接続されてもよい。
【００７９】
また、本発明の実施形態では、電源回路２５が交流電圧を直流電圧に変換する場合を例に説明したが、本発明はこれに限定されない。例えば、電源回路２５は、交流電圧の電圧値を変換してもよい。
【００８０】
また、本発明の実施形態では、ダクトレール１００に交流電圧が供給されたが、本発明はこれに限定されない。例えば、ダクトレール１００には、直流電圧が供給され得る。この場合、電源回路２５は、ダクトレール１００から供給された直流電圧の電圧値を変換してもよい。
【符号の説明】
【００８１】
１      照明装置
３      ケーブル
２１    プラグ
２２    筐体
２４    分離部材
２５    電源回路
４１    アタッチメント
４２    アーム部
４３    灯具本体
１００  ダクトレール
２２１  第１空間（ケーブル収容空間）
２２２  第２空間
２３１  第１開口
２３２  第２開口
【図１】
2017168409.tif 000003
【図２】
2017168409.tif 000004
【図３】
2017168409.tif 000005
【図４】
2017168409.tif 000006
【図５】
2017168409.tif 000007
【図６】
2017168409.tif 000008
【図７】
2017168409.tif 000009
【図８】
2017168409.tif 000010